(57)【特許請求の範囲】
【請求項１】
発光体に電流を供給する電流供給回路であって、
設定されたデューティ比の正相ＰＷＭ信号と該正相ＰＷＭ信号を分岐し反転させて生成した逆相ＰＷＭ信号をそれぞれ出力するＰＷＭ信号出力回路と、
前記正相ＰＷＭ信号により駆動され、第１の定電流を出力する第１の定電流出力部と、
前記逆相ＰＷＭ信号により駆動され、第２の定電流を出力する第２の定電流出力部と、
前記第１の定電流出力部からの出力を第１の制御信号によってオンオフ制御する第１の制御手段と、
前記第２の定電流出力部からの出力を第２の制御信号によってオンオフ制御する第２の制御手段と、
前記第１の定電流出力部から出力と前記第２定電流出力部の出力を合成して前記発光体に供給する電流供給部と
を備えたことを特徴とする電流供給回路。
【請求項２】
前記第１の制御手段は、前記正相ＰＷＭ信号をオンオフ制御することによって前記第１の定電流出力部からの出力をオンオフ制御し、
前記第２の制御手段は、前記逆相ＰＷＭ信号をオンオフ制御することによって前記第２の定電流出力部からの出力をオンオフ制御する
ことを特徴とする請求項１記載の電流供給回路。
【請求項３】
複数の発光体に電流を供給し、２段階以上の光度で発光させる電流供給回路であって、
それぞれの発光体に対応する複数の第１の定電流出力部と複数の第２の定電流出力部を備え、
任意の発光体を第１の定電流出力部の出力のみをオンにした第１の光度で発光させ、
他の任意の発光体を少なくとも第２の定電流出力部の出力をオンにした第２の光度で発光させることを特徴とする請求項１または２に記載の電流供給回路。
【請求項４】
請求項３に記載の電流供給回路であって、
前記第２の光度は、前記第１の定電流出力部の出力部の出力と前記第２の定電流出力部の出力の両方をオンにした光度であることを特徴とする電流供給回路。
【請求項５】
制御信号生成部は、複数の前記第１の制御信号と複数の前記第２の制御信号を含むシリアル形式の制御信号を出力し、
Ｓ／Ｐ変換部をさらに設け、前記シリアル形式の制御信号をパラレル形式に変換して定電流出力部からの出力を制御することを特徴とする請求項３または４に記載の電流供給回路。
【請求項６】
前記複数の発光体を発光体群に分け、発光体セレクタをさらに設け、選択された発光体群に前記制御信号を出力し、個々の発光体を制御することを特徴とする請求項３ないし５に記載の電流供給回路。
【請求項７】
前記シリアル形式の制御信号は、発光体群選択信号を含むことを特徴とする請求項３ないし６に記載の電流供給回路。
【請求項８】
船舶に備えられて外部無線設備と接続され、該外部無線設備での遭難警報の受信を通知するとともに、遭難警報信号を前記外部無線設備から送信する遭難警報装置であって、
前記外部無線設備での受信や遭難警報の送信を発光して通知する複数の発光体と、遭難警報を送信するスイッチと、装置を操作するスイッチを備える表示操作部と、
前記外部無線設備との送受信や前記表示操作部を制御する制御部とを備え、
前記制御部は請求項１ないし７のいずれかに記載の電流供給回路を含むことを特徴とする遭難警報装置。
【請求項９】
請求項８に記載の遭難警報装置であって、
前記表示操作部の複数の発光体は、前記外部無線設備の受信及び送信に対応する発光体を含み、
前記送信に対応する発光体は、前記第１の定電流出力部の出力のみをオンにした第１の光度で発光させ、
前記外部無線設備からの受信または前記外部無線設備への送信があった場合、受信および送信に対応する発光体を、前記第１の定電流出力部の出力部の出力と前記第２の定電流出力部の出力の両方をオンにした第２の光度で発光させて表示することを特徴とする遭難警報装置。
【発明の詳細な説明】
【技術分野】
【０００１】
本発明は、表示ＬＥＤの光度を調節し、特に調光時に任意のＬＥＤのみの光度を上げたり、点滅させたりすることのできる電流供給回路に関する。また、それを用いた船舶用遭難警報装置に関する。
【背景技術】
【０００２】
例えば、船舶の操舵指揮室などに設置される機器は、昼間の航海時には光度を高くして視認性を高め、夜間の航海時には、航路視認への妨害を避けるため、光度を低くして表示する必要がある。そのため、航海機器は表示部の光度を適当な明るさに加減する調光機能を備える必要がある。
【０００３】
一方、海洋の遭難、安全通信システムとしてＧＭＤＳＳ（Ｇｌｏｂａｌ  Ｍａｒｉｔｉｍｅ  Ｄｉｓｔｒｅｓｓ  ａｎｄ  Ｓａｆｅｔｙ  Ｓｙｓｔｅｍ）が利用されている。このＧＭＤＳＳでは、衛星通信技術、ディジタル通信技術等を利用することにより、海上の各船舶が如何なる海域で遭難しても捜索救助機関や付近航行船舶に対して迅速確実に救助要請を行うことができたり、陸上から提供される海上安全情報なども確実に入手することができる。また、ＳＯＬＡＳ条約（海上人命安全条約）では、海上における遭難者の救助並びに船舶に備えるべき無線設備などの航行設備の要件等について規定している。
【０００４】
特に、旅客船においては、操舵指揮室に遭難警報装置が設置されなければならない。この装置は、パネル上の１つまたは個々のボタンを押すことで、船上の全無線通信設備から遭難通報を開始することができるものである。遭難警報装置はまた、ボタンが作動した場合、また遭難通報を受信した場合には、どの無線設備を通じて得たものかを視覚的かつ聴覚的に示さなければならない。したがって遭難警報装置は、個々の無線設備に対応した遭難信号の発呼ボタンＬＥＤと受信ＬＥＤ、それにブザーを備えるものが知られている。遭難信号発呼ボタンが作動した場合、また遭難通報を受信した場合、対応するＬＥＤが点滅または発光するとともにブザー音を鳴らすことで乗務員は状態を知ることができる。
【０００５】
特許文献１には、船舶における警報表示灯光度加減装置として、船舶の動力機関などの異常を知らせるために、警報表示等に光度加減装置を設け、光度加減装置の光度加減設定を、異常時に応動する警報リレーにより自動的に最大光度で点滅させ、確認操作により、光度加減装置の設定を元の設定値に戻して連続点灯するようにした装置が開示されている（特に特許文献１の図２、図３）。
【０００６】
また、特許文献２には調光をＰＷＭ制御で行い、各種の表示を行う光源を、一定の周期で出力を送出するようにした基本波発生回路の出力にて駆動するようにし、減光時には減光波発生回路の出力にて、前記光源の通電時間の周期を断続するようにした、点滅による表示の減光装置が開示されている（特に特許文献２の図１、図２）。
【０００７】
また近年ではこのような制御を行うためには、個々または複数のＬＥＤを専用のＩＣを用いてソフトウェアで制御する方法が用いられる。
【特許文献１】実開昭４９−１１０５８８号公報
【特許文献２】実開昭５６−１６２９６号公報
【発明の開示】
【発明が解決しようとする課題】
【０００８】
しかしながら、特許文献１に示される警報装置は、調光回路にはトランジスタを用いているものの、調光回路以外で、点滅動作を実現させる回路などには複数のリレーを用いており、損失電力が大きく大掛かりな回路である。
【０００９】
また特許文献２に示される減光装置は、近年一般的に行われる通電時間幅を調整するＰＷＭ制御の調光であるが、減光状態で一つのＬＥＤを周期変動なく点滅させるための技術であり、調光された複数のＬＥＤのうち、特定のＬＥＤのみ光度を上げて点滅表示させる技術ではない。
【００１０】
さらに、個々のＬＥＤの制御のために専用ＩＣを用いた制御方法では、制御回路が大きくなり、制御も複雑になるという欠点がある。また、専用ＩＣは汎用ＩＣに比べて製造中止になることが多く、調達できなくなるというおそれがある。一方、一般的な制御ではそれぞれのＬＥＤを個別に調光する場合には、各々のＬＥＤの調光度に応じた複数のＰＷＭ信号を個別に生成する必要があり、回路が大きくなる。
【００１１】
本発明は、かかる問題点に鑑みてなされたものであり、汎用のＩＣを使用して簡単な制御で、また１種類のＰＷＭ信号で調光時に特定のＬＥＤのみ光度を上げたり点滅表示させるなど、消灯を除いた２段階以上の光度で発光させることのできる調光方法、調光回路およびそれを用いた遭難警報装置を提供することを目的とする。
【課題を解決するための手段】
【００１２】
上記目的を達成するために、本発明は以下の構成とする。
【００１３】
本発明の電流供給回路は、発光体に電流を供給する電流供給回路であって、設定されたデューティ比の正相ＰＷＭ信号と該正相ＰＷＭ信号を分岐し反転させて生成した逆相ＰＷＭ信号をそれぞれ出力するＰＷＭ信号出力回路と、前記正相ＰＷＭ信号により駆動され、第１の定電流を出力する第１の定電流出力部と、前記逆相ＰＷＭ信号により駆動され、第２の定電流を出力する第２の定電流出力部と、前記第１の定電流出力部からの出力を第１の制御信号によってオンオフ制御する第１の制御手段と、前記第２の定電流出力部からの出力を第２の制御信号によってオンオフ制御する第２の制御手段と、前記第１の定電流出力部から出力と前記第２定電流出力部の出力を合成して前記発光体に供給する電流供給部とを備える。
【００１４】
本発明の電流供給回路は、前記第１の制御手段は、前記正相ＰＷＭ信号をオンオフ制御することによって前記第１の定電流出力部からの出力をオンオフ制御し、前記第２の制御手段は、前記逆相ＰＷＭ信号をオンオフ制御することによって前記第２の定電流出力部からの出力をオンオフ制御する。
【００１６】
また本発明の電流供給回路は、複数の発光体に電流を供給し、２段階以上の光度で発光させる電流供給回路であって、それぞれの発光体に対応する複数の第１の定電流出力部と複数の第２の定電流出力部を備え、任意の発光体を第１の定電流出力部の出力のみをオンにした第１の光度で発光させ、他の任意の発光体を少なくとも第２の定電流出力部の出力をオンにした第２の光度で発光させることを特徴とする。
【００１７】
さらに本発明の電流供給回路は、前記第２の光度は、前記第１の定電流出力部の出力部の出力と前記第２の定電流出力部の出力の両方をオンにした光度である。
【００１８】
また、本発明の電流供給回路の制御信号生成部は、複数の前記第１の制御信号と複数の前記第２の制御信号を含むシリアル形式の制御信号を出力し、Ｓ／Ｐ変換部をさらに設け、前記シリアル形式の制御信号をパラレル形式に変換して定電流出力部からの出力を制御する。
【００１９】
また、本発明の電流供給回路は、記複数の発光体を発光体群に分け、発光体セレクタをさらに設け、選択された発光体群に前記制御信号を出力し、個々の発光体を制御する。
【００２０】
さらに本発明の電流供給回路はの前記シリアル形式の制御信号は、発光体群選択信号を含む。
【００２１】
また、本発明の遭難警報装置は、船舶に備えられて外部無線設備と接続され、該外部無線設備での遭難警報の受信を通知するとともに、遭難警報信号を前記外部無線設備から送信する遭難警報装置であって、前記外部無線設備での受信や遭難警報の送信を発光して通知する複数の発光体と、遭難警報を送信するスイッチと、装置を操作するスイッチを備える表示操作部と、前記外部無線設備との送受信や前記表示操作部を制御する制御部とを備え、前記制御部は前記の電流供給回路を含む。
【００２２】
さらに本発明の遭難警報装置は、前記表示操作部の複数の発光体は、前記外部無線設備の受信及び送信に対応する発光体を含み、前記送信に対応する発光体は、前記第１の定電流出力部の出力のみをオンにした第１の光度で発光させ、前記外部無線設備からの受信または前記外部無線設備への送信があった場合、受信および送信に対応する発光体を、前記第１の定電流出力部の出力部の出力と前記第２の定電流出力部の出力の両方をオンにした第２の光度で発光させて表示する。
【発明の効果】
【００２３】
本発明によれば、第１の光度に対応した正相ＰＷＭ信号のみから、第２の光度でも発光させられるため、生成するＰＷＭ信号が１種類でよい。また、正相ＰＷＭ信号と逆相ＰＷＭ信号の両方を組み合わせることで、デューティ比１００％の光度が容易に実現できる。さらに、簡単な制御で多段階の光度での点滅も容易に実現できるうえ、複数のＬＥＤのうち任意のＬＥＤのみ光度を変えて発光させることができる。
【００２４】
また本発明によれば、汎用のＩＣを利用して簡単な制御で複数のＬＥＤのうち任意のＬＥＤのみ光度を変えて発光させることができる。
【００２５】
また、制御部から出力される信号線を固定しているので、制御するＬＥＤの数が増減しても柔軟に対応できる。ＬＥＤを群に分け、ＬＥＤ群を選択してデータを送るので、信号が短く効率よく制御できる。
【００２６】
また、本発明の遭難警報装置によれば、遭難警報の送受信を簡単な制御で明確に表示することができる。
【発明を実施するための最良の形態】
【００２７】
以下、本発明の実施の形態を図面を参照しながら説明する。図１は、遭難警報装置１００の表示操作部の外観図である。筐体１０１の下部からは、外部無線設備４０と遭難警報装置１００を接続する複数のケーブル４１が延伸している。筐体１０１の前面パネルには、着信ＬＥＤ群１１にＬＥＤが６個、遭難信号発呼ボタン群１２にボタンが５個、機能ボタン群１３にボタンが４個付いている。遭難信号発呼ボタン群１２と機能ボタン群１３は照光式スイッチである。遭難信号発呼ボタン群１２には、誤発射を防止するための保護カバーが付いている。これらの着信ＬＥＤと照光式ボタンＬＥＤを総じてＬＥＤと呼ぶ。
【００２８】
図１、図２では、遭難信号発呼ボタンおよび機能ボタンは照光式スイッチとして、スイッチとＬＥＤが一体となったボタンとしているが、操作スイッチとＬＥＤとに分けても同様の動作や効果が得られる。
【００２９】
機能ボタン群１３は、ＬＥＤの光度を設定する光度設定手段である調光ボタン７３１、警報のブザー音を停止するミュートボタン７３２、テスト点灯を行うテストボタン７３３、電源を操作する電源ボタン７３４からなっている。
【００３０】
また、遭難信号発呼ボタン群１２は、ＶＨＦ−１：７２１、ＶＨＦ−２：７２２、ＭＦ／ＨＦ：７２３、インマルサット−１：７２４、インマルサット−２：７２５に対応する無線設備からそれぞれ遭難信号の発呼を開始するボタンである。
【００３１】
着信ＬＥＤ群１１は、ＶＨＦ−１：７１１、ＶＨＦ−２：７１２、ＭＦ／ＨＦ：７１３、インマルサット−１：７１４、インマルサット−２：７１５、および受信のみの無線装置であるＮＡＶＴＥＸ：７１６に対応する無線設備で他船等からの遭難信号を受信したときに発光して知らせるＬＥＤである。このように、遭難警報装置１００は複数のＬＥＤを備えている。また、３０はブザー音を発生させるスピーカー部である。
【００３２】
図２は、遭難警報装置１００の構成を示すブロック図である。表示操作部１５は、図１に示した前面パネル部に表れている。表示操作部１５は、着信ＬＥＤ群１１、遭難信号発呼ボタン群１２、機能ボタン群１３からなり、それぞれの外部無線設備４０や遭難警報装置１００の状態を発光によって表示している。制御部２０は、外部無線設備４０からの着信の状態を判断して、スピーカー部３０および表示部１５を制御する。外部無線設備４０とは、具体的にはＶＨＦ−１：４０１、ＶＨＦ−２：４０２、ＭＦ／ＨＦ：４０３、インマルサット−１：４０４、インマルサット−２：４０５、ナブテックス：４０６である。また制御部２０は、表示操作部１５の機能ボタン群１３が操作された場合には、後述する各機能の制御を行い、遭難信号発呼ボタン群１２が操作された場合には、外部無線設備４０から遭難信号を送信する制御を行う。
【００３３】
次に機能ボタン群１３が操作されたときの動作を説明する。電源ボタン７３４は電源を入り切りする。ＴＥＳＴボタン７３３は、すべてのＬＥＤが点灯するかどうかを確認するためのテストを行う。ミュートボタン７３２は、各種無線設備からの受信があった時のＬＥＤの発光とともに鳴るスピーカー部３０からのブザー音を停止するためのボタンである。調光ボタン７３１は、表示操作部１５上の各種ＬＥＤを、他の装置の読み取りや航路の確認を妨げることのないような光度に設定する。具体的には、最大光度での点灯を１００％とした場合、８０％、６０％、４０％、２０％の４段階で光度を設定する。１度押すごとに、設定レベルは８０％から６０％、４０％と下降し、２０％から４０％、６０％とまた上昇し以降は繰り返す。各無線設備４０からの着信や、遭難信号の発呼がない通常状態の場合には、着信ＬＥＤ群１１は消灯しており、遭難信号発呼ボタン群１２および機能ボタン群１３は全て調光ボタン７３１で設定したレベルで発光している。
【００３４】
次に、遭難信号を発呼する場合の一例について図３を用いて説明する。図３の表に示す信号については後述する。発呼する前には、着信ＬＥＤ群１１は消灯しており、遭難信号発呼ボタン群１２および機能ボタン群１３は設定した調光レベルで光っている（図３Ａ）。例えば、インマルサット−２無線機４０５から遭難信号を発呼する場合、乗務員は、インマルサット−２遭難信号発呼ボタン７２５の保護カバーを開けてボタンを押す。信号の誤発射を防止するため、３〜４秒のボタンの長押しで制御部２０は発呼動作を確定し、発呼を開始する。例えば、「ピー、ピー、ピー、ピーーーー」とブザー音が鳴り、遭難信号がインマルサット−２無線機４０５から送信される。インマルサット−２遭難信号発呼ボタン７２５は視認性を高めるため全灯（１００％）で発光する。このとき、他の遭難信号発呼ボタン群１２や機能ボタン群１３は設定したレベルで発光し続けている（図３Ｂ）。他の無線設備から遭難信号を送信する場合も同様の動作をする。
【００３５】
続いて、各無線設備からの遭難信号の着信があった場合について説明する。着信する前には、着信ＬＥＤ群１１は消灯しており、遭難信号発呼ボタン群１２および機能ボタン群１３は設定したレベルで光っている（図３Ａ）。例えば、ＭＦ／ＨＦ無線機４０３が遭難信号を受信した場合、制御部２０はＭＦ／ＨＦ無線機４０３から信号を受け、ＭＦ／ＨＦ着信ＬＥＤ７１３およびミュートボタン７３２を点滅表示するとともに、スピーカー部３０からブザー音を「ピーポーピーポー」と鳴らす。ミュートボタン７３２は、ブザー音を停止するボタンをであることを示すために点滅している。視認性を高めるため、ＬＥＤの点滅は全灯（１００％）消灯（０％）を繰り返す（図３Ｃ、Ｄを交互に繰り返す）。このとき、他の遭難信号発呼ボタン群１２や機能ボタン群１３は設定された調光レベルで発光し続けている。乗務員が受信を確認し、ブザー音を消すためにミュートボタン７３２を押すと、ブザー音は停止しミュートボタン７３２は設定したレベルで発光し、ＭＦ／ＨＦ着信ＬＥＤ７１３は全灯で発光する（図３Ｅ）。その後、ＭＦ／ＨＦ無線機４０３で受信内容が確認されると、制御部２０は信号を受け取り、通常状態の点灯に切り替わる（図３Ａ）。他の無線設備から受信があった場合も同様の動作をする。
【００３６】
このように高い光度で発光したり点滅をすることで、遭難信号の送受信を明確に表示している。
【００３７】
次に表示操作部の調光回路および調光方法について、図４、図５、図６を参照しながら説明する。制御の方法は、調光回路で一般的に行われるＰＷＭ制御である。ここでの調光レベルは２０％とする。
【００３８】
図４はＬＥＤを駆動する調光回路５００のブロック図である。調光回路５００は制御部２０、ＬＥＤ駆動部５０、ＬＥＤ７０からなる。制御部２０は制御信号生成部２１、ＰＷＭ信号生成部２２からなる。制御信号生成部２１は、前述の表示操作部１５や外部無線設備４０からの信号に基づき、ＬＥＤの制御信号ＣＯＮＴ＿Ｐ、ＣＯＮＴ＿Ｎを生成して駆動部５０へ出力する。ＰＷＭ信号生成部２２は、表示操作部１５の特に調光ボタン７３１からの設定レベル信号に基づいたデューティ比のＰＷＭ信号を生成し、駆動部５０に出力する。駆動部５０は、制御信号生成部２１から出力された制御信号とＰＷＭ信号生成部２２から出力されたＰＷＭ信号からＬＥＤを駆動する信号ＤＲＶを作り、ＬＥＤ７０を発光させる。
【００３９】
図５は、駆動部５０の詳細を示す回路図である。制御部２０から前述の信号ＣＯＮＴ＿Ｐ、ＣＯＮＴ＿Ｎ、ＰＷＭ信号が出力される。第１のＡＮＤ回路５２１には制御信号ＣＯＮＴ＿Ｐおよび第１のＰＷＭ信号が入力され、第１のＡＮＤ回路５２１の出力は第１の定電流ドライバ５３１との間に設けたスイッチ５３３に入力される。ここで、第１のＰＷＭ信号とはＰＷＭ信号生成部２２から出力され、バッファ５１１を通過した正相ＰＷＭ信号（ＰＷＭ＿Ｐ）である。第２のＡＮＤ回路５２２には制御信号ＣＯＮＴ＿Ｎおよび第２のＰＷＭ信号が入力され、ＡＮＤ回路５２２の出力は第２の定電流ドライバ５３２との間に設けたスイッチ５３４に入力される。ここで、第２のＰＷＭ信号とは、第１のＰＷＭ信号から分岐し、ＮＯＴ回路５１２で反転した逆相ＰＷＭ信号（ＰＷＭ＿Ｎ）である。前述のバッファ５１１はＮＯＴ回路５１２と伝播遅延を同じにするために設けている。第１の定電流ドライバ５３１と第２の定電流ドライバ５３２の出力は、それぞれ電力合成のダイオード５４１、５４２を介してその先で合流してＤＲＶ信号となり、ＬＥＤ７０に接続されている。
【００４０】
次に具体的な制御方法を示す。図６は、ＰＷＭ信号、その正相ＰＷＭ信号と逆相ＰＷＭ信号、制御信号ＣＯＮＴ＿Ｐ、ＣＯＮＴ＿Ｎ、ＬＥＤに入力されるＤＲＶ信号およびＬＥＤの光度を示す。ＣＯＮＴ＿Ｐ、ＣＯＮＴ＿Ｎは制御信号生成部２１から出力される各点灯状態の制御信号である。ＰＷＭは調光ボタン７３１で設定されている設定レベルに合わせたデューティ比のＰＷＭ信号であり、ここでは、デューティ比２０％としている。ＰＷＭ＿ＰはＰＷＭ信号と同相の正相ＰＷＭ信号である。ＰＷＭ＿Ｎは、逆相ＰＷＭ信号であり、正相ＰＷＭ信号を反転させたものである。ここでは、デューティ比８０％となる。
【００４１】
制御信号とＬＥＤの駆動時間およびＬＥＤの光度について説明する。
まず、調光１点灯の時には、ＣＯＮＴ＿Ｐは１、ＣＯＮＴ＿Ｎは０である。図５に示す制御回路で、ＡＮＤ回路５２１、５２２にそれぞれの制御信号が入力される。第１のＡＮＤ回路５２１からはデューティ比２０％の正相ＰＷＭ信号が出力され、第１の定電流ドライバ５３１を駆動する。一方、第２のＡＮＤ回路５２２からの出力は０で、第２の定電流ドライバ５３２は駆動しない。したがって、ＤＲＶ信号は２０％となり、２０％相当の時間だけ電流がＬＥＤに流れるため、ＬＥＤは発光レベル２０％で点灯する。
【００４２】
また点滅時など、ＬＥＤを全灯１００％で点灯させるときには、ＣＯＮＴ＿Ｐ、ＣＯＮＴ＿Ｎともに信号は１である。第１のＡＮＤ回路５２１からはデューティ比２０％の正相ＰＷＭ信号が出力され、第１の定電流ドライバ５３１を駆動する。また第２のＡＮＤ回路５２２からはデューティ比８０％の逆相ＰＷＭ信号が出力され、第２の定電流ドライバ５３２を駆動する。これらの電力は合成され、ＤＲＶ信号はデューティ比１００％となり、１００％相当の時間、電流がＬＥＤに流れるため、ＬＥＤは発光レベル１００％で点灯する。点滅の消灯時には、ＣＯＮＴ＿Ｐ、ＣＯＮＴ＿Ｎともに信号は０である。このとき、第１のＡＮＤ回路５２１からの出力は０で第２のＡＮＤ回路５２２からの出力も０である。よって、ＬＥＤは点灯しない。
【００４３】
一方、調光２点灯の時には、ＣＯＮＴ＿Ｐは０、ＣＯＮＴ＿Ｎは１である。第１のＡＮＤ回路５２１からの出力は０で、第１の定電流ドライバ５３１は駆動しない。
【００４４】
また、第２のＡＮＤ回路５２２からはデューティ比８０％の逆相ＰＷＭ信号が出力され第２の定電流ドライバ５３２を駆動する。したがって、ＤＲＶ信号は８０％となり、８０％相当の時間だけ電流がＬＥＤに流れるため、ＬＥＤは発光レベル８０％で点灯する。
【００４５】
このように設定レベルのＰＷＭ信号の正相ＰＷＭ信号と逆相ＰＷＭ信号を利用し、設定レベルの点灯時には一方のＰＷＭ信号を使い、全灯時には正相ＰＷＭ信号と逆相ＰＷＭ信号を合成し、消灯時にはいずれも使わないことで、一種類のＰＷＭ信号から複数の光度でＬＥＤを発光させることができる。
【００４６】
次に、前述の方法で、複数のＬＥＤを制御する方法、特に複数のＬＥＤのうちの任意のＬＥＤだけ光度を変える方法について説明する。図７は複数のＬＥＤを制御する場合のブロック図である。
【００４７】
制御するＬＥＤが複数になるため、ＬＥＤを複数のＬＥＤをまとめたＬＥＤ群に分けて制御する。本発明の遭難警報装置１００では、ＬＥＤは機能ＬＥＤ群１３、発呼ＬＥＤ群１２、着信ＬＥＤ群１１に分かれているので、これらをＬＥＤ群Ａ、ＬＥＤ群Ｂ、ＬＥＤ群Ｃとする。ここでのＬＥＤの数は、ＬＥＤ群Ａは４個、ＬＥＤ群Ｂは５個からＬＥＤ群Ｃは６個の集合である。
【００４８】
制御部２０から１種類のＰＷＭ信号と、ＬＥＤの数と同数のＬＥＤ駆動用の制御信号ＣＯＮＴ＿Ｐ、ＣＯＮＴ＿Ｎが出力され、ＬＥＤ群Ａ駆動部５０１、ＬＥＤ群Ｂ駆動部５０２、ＬＥＤ群Ｃ駆動部５０３へそれぞれ入力される。ＬＥＤ群駆動部５０からは図４と同様に、ＤＲＶ信号が出力され、ＬＥＤ７０を駆動する。図７の太い信号線はバスラインを示している。また、ＬＥＤ群Ａの１つ目のＬＥＤをＬＥＤ＿Ａ０とし、その制御信号をＣＯＮＴ＿Ｐ＿Ａ０、ＣＯＮＴ＿Ｎ＿Ａ０、駆動信号をＤＲＶ＿Ａ０としている。また、ＬＥＤ群Ｃは調光点灯しないため、ＰＷＭ信号は不要で点灯制御信号ＣＯＮＴ＿Ｃのみでよい。
【００４９】
次に、制御するＬＥＤの数が増えても、制御部２０から出力される信号線が多くならず、ＬＥＤの増減に柔軟に対応することができる、他の実施例を図８に示す。図７にＳ／Ｐ変換部６０を追加し、制御部から出力されたＤＬＴ信号、ＳＤＴ信号、ＳＣＫ信号がＳ／Ｐ変換部６０に入力され、Ｓ／Ｐ変換部６０から制御信号ＣＯＮＴ＿Ｐ、ＣＯＮＴ＿ＮがそれぞれのＬＥＤ群駆動部５０に出力される。ＤＬＴ信号はラッチ信号、ＳＤＴ信号は制御信号、ＳＣＫ信号はクロック信号である。
【００５０】
図９はＳ／Ｐ変換部６０の内部を示す回路図である。シフトレジスタ６１にＳＤＴ信号が入力される。ＳＤＴ信号はＬＥＤ群ＡおよびＬＥＤ群ＢのＬＥＤの制御信号ＣＯＮＴ＿Ｐ、ＣＯＮＴ＿Ｎと、ＬＥＤ群Ｃの制御信号ＣＯＮＴ＿Ｃを順に並べたシリアル信号であり、長さは２４となる。クロック毎にシリアル形式のＳＤＴ信号が送られ、Ｑ０からＱ２３までデータが入力される。次に、ラッチ信号ＤＬＴを入力すると、Ｑ０〜Ｑ７のデータはＬＥＤ群Ａの出力データラッチ６５へ、Ｑ８〜Ｑ１７のデータはＬＥＤ群Ｂの出力データラッチ６７へ、Ｑ１８〜Ｑ２３のデータはＬＥＤ群Ｃの出力データラッチ６９へ送られる。Ｓ／Ｐ変換部６０より出力された後は図７の構成と同様に動作する。このような回路にすることで、制御部からの信号線が少なくでき、制御するＬＥＤの数が異なる場合でも、同じ構成とすることができる。
【００５１】
一方、図９に示すＳ／Ｐ変換では、ＳＤＴ信号は駆動するＬＥＤが増えるほど長くなり、変更のないＬＥＤにも毎回信号を送信することになるので、効率が悪くなり、ＬＥＤが多い場合には適さない。そこで、図１０に示す他の実施例のようにＬＥＤ群セレクタ６３を設けることができる。ＬＥＤ群セレクタ６３は制御信号ＳＤＴをどのＬＥＤ群駆動部に送信するかを選択する。
【００５２】
ＬＥＤ群セレクタ６３は、ＡＮＤ回路６３１、６３２、６３３からなる。このＡＮＤ回路はＬＥＤ群と同数設ける。入力の一方はシフトレジスタ６１の出力に、もう一方はラッチ信号ＤＬＴに接続され、出力データラッチ６５、６７、６９に出力データラッチ用ラッチ信号ＬＴ＿Ａ、ＬＴ＿Ｂ、ＬＴ＿Ｃを出力する。
【００５３】
次に、具体的な群の選択方法について説明する。ＳＤＴ信号はそれぞれのＬＥＤの制御信号ＣＯＮＴ＿Ｐ、ＣＯＮＴ＿Ｎを順に並べたシリアル信号であり、長さはＬＥＤ群の最大ＬＥＤ数に対応する。ここでは、最大１０桁となる。このＳＤＴ信号に群セレクト信号ＳＥＬ＿Ａ、ＳＥＬ＿Ｂ、ＳＥＬ＿Ｃを付け加える。Ｑ０〜Ｑ２はセレクタ信号とし、Ｑ３〜Ｑ１２が制御信号ＣＯＮＴ＿Ｐ、ＣＯＮＴ＿Ｎとなる。Ｑ０〜Ｑ２に入ったセレクタ信号は前述のＬＥＤ群セレクタのＡＮＤ回路６３１、６３２、６３３にそれぞれ入力される。データを送信したいＬＥＤ群、例えばＬＥＤ群Ａに対応するセレクト信号ＳＥＬ＿Ａに"１"を入れ、ラッチ信号ＤＬＴが入力されると選択ラッチ信号ＬＴ＿Ａが１となり、出力データラッチ６５にＱ３〜Ｑ１２のデータが送られる。セレクト信号を複数"１"にしておけば、複数の出力データラッチに同時にデータを出力することができる。このような構成にすることで、複数のＬＥＤ群に同一の動作をさせる場合、データの送信が１回で完了する。また、特定のＬＥＤだけ動作を変更させたい場合は、そのＬＥＤを含むＬＥＤ群にのみ信号を出力すればよい。
【００５４】
次に、具体的な制御信号について説明する。レジスタアドレスの割り当てを表１に示す。
【表１】
0005553879.tif 000002
【００５５】
ＳＤＴは、ここではＤ０からＤ１２の１３ビットの信号である。Ｄ０〜Ｄ２はセレクタ信号である。制御したいＬＥＤ群のビットを１にする。Ｄ３〜Ｄ１２はＤＡＴ０〜１２と呼び、それぞれのＬＥＤの制御信号ＣＯＮＴ＿Ｐ、ＣＯＮＴ＿Ｎの割当てである。シフトレジスタ６１から出力される時点で、それぞれ信号ＳＥＬ＿ＡからＤＡＴ＿９信号となる。点灯させたいＬＥＤの点灯に使用したい制御信号のビットを１にする。着信ＬＥＤ群は調光レベルでの点灯がないため、点灯させたいＬＥＤのビットを１にすればよい。
【００５６】
図１１は図１０の回路図のタイミングチャートである。ＳＤＴ信号には表１に示すデータが割当てられる。クロックＳＣＫが進むごとにＱ０〜Ｑ１２の信号にデータが入っていき、ラッチ信号ＤＬＴによって、シフトレジスタから出力データラッチにデータが渡される。このとき、Ｑ０〜Ｑ２のＳＥＬ信号はＳＥＬ＿Ａが"１"、ＳＥＬ＿Ｂが"０"、ＳＥＬ＿Ｃが"１"の場合、ＬＥＤ群セレクタのＡＮＤ回路から出力される信号ＬＴ＿Ａは"１"、ＬＴ＿Ｂは"０"、ＬＴ＿Ｃは"１"となる。Ｄ１２〜Ｄ３の信号が、ＤＬＴラッチのタイミングで置き換わる。
【００５７】
図１２は本実施例の具体的な回路図である。点線で囲んだ部分は、前出の図で示したブロックを表している。出力データラッチ６５からの信号はそれぞれのＬＥＤ制御信号となり、駆動部５０へ入力される。図では、定電流源の前段のスイッチを省略して描いているが詳細は図５に示したものと同様である。
【００５８】
次に図１３に、本発明の遭難警報装置のを一般に市販されているＩＣを用いて実現した場合の具体的な回路図を示す。
【００５９】
（Ａ）部はシフトレジスタであり、８２８は反転回路、８１１〜８２６はＤラッチ回路であり、制御信号生成部２１からの信号ＳＤＴをそれぞれの出力に受け渡す。８１は一般的にシフトレジスタと呼ばれるＩＣであり、具体的な汎用ＩＣでは７４ＨＣ５９５などが利用できる。出力はＳＥＬ＿Ａ〜Ｃ、およびＤＡＴ＿０〜２であり、ＤＡＴ＿３以下は図では省略した。
【００６０】
一方（Ｂ）部は、ＰＷＭ信号から逆相ＰＷＭ信号を生成するものであり、図５、図１２に示したものと同様である。
【００６１】
また、（Ｃ）部はＬＥＤ群セレクタ６３である。図１２と異なる点は、反転回路８３４があることで、入力信号がｎＤＬＴ、出力信号がｎＬＴとなっている。これは後部のＩＣの仕様により反転させている。
【００６２】
（Ｄ）部に示す、８５１〜８５４、８７１〜８７４はＤフリップフロップである。シフトレジスタ８１からの出力ＤＡＴ＿０が８５１に、ＤＡＴ＿１が８７１に、ＤＡＴ＿２が８５２に、ＤＡＴ＿３が８７２、というようにそれぞれ入力される。８５６〜８５９、８７６〜８７９はＤフリッププロップからの出力とＰＷＭ信号のＡＮＤ回路である。８６１〜８６４、８８１〜８８４は定電流ＬＥＤドライバである。これら８５、８７は一般的に定電流ＬＥＤドライバと呼ばれるＩＣの内部の回路である。具体的にはＴＢ６２７０７のＩＣなどが利用できる。
【００６３】
定電流ＬＥＤドライバ８５は、シフトレジスタ８１からのデータと、ＳＥＬ＿Ａ信号より生成されたｎＬＴ＿Ａ信号および正相ＰＷＭ信号が入力される。また、定電流ＬＥＤドライバ８７は、シフトレジスタ８１からのデータと、ＳＥＬ＿Ａ信号より生成されたｎＬＴ＿Ａ信号および逆相ＰＷＭ信号が入力される。図では、定電流ドライバの前段のスイッチは省略した。
【００６４】
８６６〜８６９、８８６〜８８９は電力合成用のダイオードである。ダイオード８６６およびダイオード８８６の先、すなわちＤＡＴ＿０信号からの出力（ＣＯＮＴ＿Ｐ＿Ａ０）とＤＡＴ＿１信号からの出力（ＣＯＮＴ＿Ｎ＿Ａ０）は合流してＬＥＤ７３４に接続されている。同様に、定電流ＬＥＤドライバ８５と８７からの出力はそれぞれ合流して対応するＬＥＤに接続している。また、定電流ＬＥＤドライバ８５、８７の内部は５つ目以降を省略している。
【００６５】
本実施例で着信ＬＥＤ群１１は調光点灯しないため、着信ＬＥＤ用の定電流ＬＥＤドライバは１つでよく、ＰＷＭ信号に代えてＧＮＤに接続する。
【００６６】
上述のように、制御信号を生成してシフトレジスタ８１にデータを入力し、ｎＤＬＴにパルスを与えて定電流ＬＥＤドライバ８５、８７にデータを渡す。これにより、点灯させたいＬＥＤの使用したいＰＷＭ信号に相当する時間だけ該当する定電流ドライバを駆動させることができるので、任意のＬＥＤの点灯消灯が制御できる。そして、複数のＬＥＤを同時に制御することが可能となる。
【００６７】
次に、前述した発光パターンの具体的な制御信号と表示操作部の状態を説明する。図３は、表示部ＬＥＤの状態と伝送データを示している。
【００６８】
図３（Ａ）に示すのは、通常状態の発光であり、着信ＬＥＤ群１１は消灯し、遭難信号発呼ボタン群１２および機能ボタン群１３は調光レベルで発光している。このときの制御信号は＜Ａ＞に示す通りであり、＜Ａ＞のａおよびｂの信号を送信することで制御できる。
【００６９】
（Ｂ）はインマルサット−２で遭難信号を発呼した場合である。インマルサット−２遭難信号発呼ボタン７２５は全灯しており制御信号は、＜Ｂ＞に示す通りである。（Ａ）から（Ｂ）の状態に変わるとき、機能ＬＥＤ群と着信ＬＥＤ群に変更はないため、発呼ＬＥＤ群だけ信号を送って制御する。
【００７０】
（Ｃ）、（Ｄ）はＭＦ／ＨＦで着信したときの様子である。（Ｃ）はＭＦ／ＨＦ着信ＬＥＤ７１３および調光ボタン７３２は全灯しており制御信号は、＜Ｃ＞のａおよびｂの通りである。（Ｄ）はＭＦ／ＨＦ着信ＬＥＤ７１３および調光ボタン７３２は消灯しており制御信号は、＜Ｄ＞のａおよびｂの通りである。（Ｃ）と（Ｄ）の状態を繰り返す、つまり＜Ｃ＞ａ、ｂと＜Ｄ＞ａ、ｂの信号を繰り返し送信することによって、点滅状態が表される。
【００７１】
（Ｅ）はさらにミュートボタンが押された場合である。ＭＦ／ＨＦ着信ＬＥＤ７１３は全灯し、ミュートボタン７３２は調光レベルで発光している。制御信号は＜Ｅ＞のａおよびｂの通りである。
【００７２】
このように、調光レベルのＰＷＭ信号の正相ＰＷＭ信号と逆相ＰＷＭ信号を用いることで、汎用のＩＣを使用し、簡単な制御で、また１種類のＰＷＭ信号で、調光時に特定のＬＥＤのみ光度を上げたり点滅表示させることのできる調光方法、調光回路およびそれを用いた遭難警報装置を実現できる。
【００７３】
なお、本実施例に示した内容は下記のように変更しても同様に実現できる。
【００７４】
発光部はＬＥＤとして表したがこれに限定されず、ランプなどでもよい。
【００７５】
ＳＥＬ、ＤＡＴの数はこれに限定されず、シフトレジスタを直列につなぐことで数を増やすことができる。また、ＬＥＤ群の数やそれぞれのＬＥＤ群で制御するＬＥＤの数もこれに限定されない。
【００７６】
本実施例では、ＬＥＤ群セレクタはＬＥＤ群と同数設けたが、これに限定されず、ＬＥＤ群セレクタを通さずにデータを受け取るＬＥＤ群があってもよい。
【００７７】
また、遭難警報装置として外部無線機を示したがこれに限定されない。また、遭難信号の受信や発呼を明確に知らせるためのＬＥＤの点滅やブザー音は一例である。
【図面の簡単な説明】
【００７８】
【図１】本発明の実施の形態による遭難警報装置１００の表示操作部の外観図
【図２】本発明の実施の形態による遭難警報装置１００および外部無線装置４０の構成を示すブロック図
【図３】本発明の実施の形態による表示部ＬＥＤの状態と伝送データを示す図
【図４】本発明の実施の形態による一つのＬＥＤを駆動する調光回路のブロック図
【図５】本発明の実施の形態による一つのＬＥＤを駆動する調光回路の回路図
【図６】本発明の実施の形態によるＰＷＭ信号のパルスと制御信号を示す図
【図７】本発明の実施の形態による複数のＬＥＤを駆動する調光回路のブロック図
【図８】本発明の実施の形態による複数のＬＥＤを駆動する他の調光回路のブロック図
【図９】本発明の実施の形態によるＳ／Ｐ変換部を示す回路図
【図１０】本発明の実施の形態によるＬＥＤ群セレクタを含むＳ／Ｐ変換部を示す回路図
【図１１】図１０に示す回路の信号のタイミングチャート
【図１２】本発明の実施の形態による複数のＬＥＤを駆動する調光回路の回路図
【図１３】本発明の実施の形態による遭難警報装置の回路図
【符号の説明】
【００７９】
１００  遭難警報装置
１１    着信ＬＥＤ群
１２    遭難信号発呼ボタン群
１３    機能ボタン群
２０    制御部
２１    調光信号生成部
２２    ＰＷＭ信号生成部
４０    外部無線装置
５００  調光回路
５０    駆動部
５２１、５２２  ＡＮＤ回路
５３１、５３２  定電流ドライバ
６０    Ｓ／Ｐ変換部
６１    シフトレジスタ
６３    ＬＥＤ群セレクタ
６５、６７、６９  出力データラッチ
７０    ＬＥＤ
【図１】
0005553879.tif 000003
【図２】
0005553879.tif 000004
【図３】
0005553879.tif 000005
【図４】
0005553879.tif 000006
【図５】
0005553879.tif 000007
【図６】
0005553879.tif 000008
【図７】
0005553879.tif 000009
【図８】
0005553879.tif 000010
【図９】
0005553879.tif 000011
【図１０】
0005553879.tif 000012
【図１１】
0005553879.tif 000013
【図１２】
0005553879.tif 000014
【図１３】
0005553879.tif 000015